(57)【要約】【課題】両頭式の静電型入力ペンであっても、静電型入力ペンの自重により軸筒の前端側に設けた先端チップによる入力装置への入力がし易く、また軸筒の後端側に設けた筆記体による筆記においても、筆記がし難くならない構造の両頭式の静電型入力ペンを提供する。【解決手段】軸筒２の前端側に先端チップ４を設け、軸筒２の後端側に筆記体７ａを設けると共に、軸筒２の内部に当該軸筒２の軸心に沿って前後動可能な駒部材８を配設することで、軸筒２の前端側を下方へ向けたときには駒部材８が前方へ移動し、軸筒２の後端側を下方へ向けたときには駒部材８が後方へ移動し、重心の位置が変化する構造。【選択図】図１
2013225270.tif 000002
【特許請求の範囲】
【請求項１】
操作領域を入力ペンや指によって操作し、前記操作領域の操作部分の位置を静電容量方式で検出する入力装置に用いる静電型入力ペンであって、軸筒の前端側に先端チップを設け、前記軸筒の後端側に筆記体を設けると共に、前記軸筒の内部に当該軸筒の軸心に沿って前後動可能な駒部材を配設することで、前記軸筒の前端側を下方へ向けたときには前記駒部材が前方へ移動し、前記軸筒の後端側を下方へ向けたときには前記駒部材が後方へ移動し、重心の位置が変化する構造の静電型入力ペン。
【発明の詳細な説明】
【技術分野】
【０００１】
本発明は、操作領域を入力ペンの先端チップで触れることで、選択を行ったりカーソルの移動ができる静電容量方式の入力装置に用いられる静電型入力ペンに関したものである。
【背景技術】
【０００２】
従来より、特許文献１に記載されているように、導電性ゴムや導電性繊維で形成された先端チップを軸筒の前部に設けた静電型入力ペンはよく知られている。また最近では、特許文献２に記載されているように、手で持って使用する薄形のタッチパネル形式の入力装置が市場で人気を得ており、指先で入力を行うだけでなく、筆記具のように軸筒を握って入力を行うことができる前述の静電型入力ペンの需要がさらに高くなっている。このような静電型入力ペンの中には、軸筒の前端側に先端チップを設け、軸筒の後端側にボールペンなどの筆記体を設けた構造にすることで、入力装置への入力だけでなく紙面への筆記も行うことができる両頭式の静電型入力ペンが市場に存在している。
【０００３】
また、前記タッチパネル形式の入力装置の多くは、接触面積が１６平方ミリメートル以上で入力反応が示されるようになっていることから、先端チップの前方をドーム状に形成してあり、先端チップを入力装置の操作領域に当接させた際に、先端チップのドーム部が潰れるように弾性変形して接触面積を広げ、入力装置の入力反応が示されるようにしてある。このとき先端チップを弾性変形させる力は、使用者が先端チップを押し付ける力だけではなく、一般的にタッチパネル形式の入力装置が横置きで使用されることから、静電型入力ペン自体の自重も関係している。つまり先端チップは、使用者が先端チップを入力装置に押し付ける力と、静電型入力ペン自体の自重とで弾性変形が行われる。
【０００４】
したがって静電型入力ペンの自重が大きいほど、使用者が先端チップを入力装置に押し付ける力が少なくてすみ、入力がし易くなるが、静電型入力ペン全体の重さが大きい場合には入力操作時のバランスが悪くなり、それを防止するために先端チップがある前端側だけを重くした場合には、前述した両頭式の静電型入力ペンでは、後端側の筆記体で筆記を行うときに重さのバランスが悪くなって、筆記操作がし難くなるといった問題が生じる。
【先行技術文献】
【特許文献】
【０００５】
【特許文献１】特許第４１４２７７６号公報
【特許文献２】特開２０１１−８１８２５号公報
【発明の概要】
【発明が解決しようとする課題】
【０００６】
本発明は、前記従来の問題点を解決するものであって、両頭式の静電型入力ペンであっても、静電型入力ペンの自重により軸筒の前端側に設けた先端チップによる入力装置への入力がし易く、また軸筒の後端側に設けた筆記体による筆記においても、筆記がし難くならない構造の両頭式の静電型入力ペンを提供しようとするものである。
【課題を解決するための手段】
【０００７】
本発明は、
「操作領域を入力ペンや指によって操作し、前記操作領域の操作部分の位置を静電容量方式で検出する入力装置に用いる静電型入力ペンであって、軸筒の前端側に先端チップを設け、前記軸筒の後端側に筆記体を設けると共に、前記軸筒の内部に当該軸筒の軸心に沿って前後動可能な駒部材を配設することで、前記軸筒の前端側を下方へ向けたときには前記駒部材が前方へ移動し、前記軸筒の後端側を下方へ向けたときには前記駒部材が後方へ移動し、重心の位置が変化する構造の静電型入力ペン。」である。
【０００８】
静電型入力ペンは携帯性の面から小型のものが好まれており、この点から軸筒の外径や全長は小さい方がよいことから、駒部材を真鍮やステンレスのように比重が大きい金属で形成することで、駒部材を小型化させることが好ましい。駒部材の形状に限定はないが、軸筒の後端側の筆記体がボールペンチップである場合には、駒部材に貫通孔を設けて、軸筒内に配設されているボールペンレフィルを挿通させ、駒部材がボールペンレフィルの外周を摺動する構成にすることが好ましい。この場合の駒部材は、ボールペンレフィルに沿って摺動するので、軸筒内で傾いて前後動ができなくなるということがなく、軸径方向より前後方向を大きくして縦長形状とすることで、前後方向の摺動が滑らかなものとなる。
【発明の効果】
【０００９】
本発明の静電型入力ペンでは、軸筒の前端側に設けられた先端チップで入力を行う場合には、駒部材が軸筒の前端側へ移動して駒部材の重量で入力がし易くなり、軸筒の後端側に設けられた筆記体で筆記を行う場合には、駒部材が軸筒の後端側へ移動するので、後端側の筆記体で筆記を行う場合においても、筆記操作がし易いものとなった。
【図面の簡単な説明】
【００１０】
【図１】図１は、本実施例の静電型入力ペンを示す図である。
【図２】図２は、軸筒の前端側を下に向けた状態における一部断面図である。
【図３】図３は、静電容量方式の入力装置へ入力を行っている状態の図である。
【図４】図４は、軸筒の後端側を下に向けた状態における一部断面図であり、紙面に筆記を行っている状態の図である。
【発明を実施するための形態】
【００１１】
以下、図面を参照して本発明における静電型入力ペンの実施例について説明を行う。尚、説明を分かり易くするために、図面中の同様の部材、同様の部分については同じ番号を付してある。本実施例の説明においては先端チップ側を前方と表現し、その反対側を後方と表現する。
【００１２】
図１及び図２を用いて本発明における静電型入力ペンについて説明する。本実施例の静電型入力ペン１は、軸筒２の前方へ装着した先軸部材３に、半球状のドーム部４ａを有した先端チップ４を、当該先端チップ４の後方に形成した円筒状のストレート部４ｂに中子５の前方小径部５ａを挿着させた上で、先軸部材３の開口部３ａに先端チップ４及び中子５を挿通させると共に、中子５の後方大径部５ｂに形成した凹部５ｃへ先軸部材３の後方薄肉部３ｂをカシメて形成したカシメ部３ｃにて固定してある。
【００１３】
また、先軸部材３に形成した雄螺子部３ｄを円筒形状の軸筒２の前方に形成した雌螺子部２ａに螺合させてあり、軸筒２の後方には口金６を装着してある。本実施例では、軸筒２内にボールペンレフィル７のインキ収容筒７ａを収容してあり、口金６の開口部６ａからボールペンチップ７ｂを突出させている。本実施例の先端チップ４は、シリコンゴムに炭素粉末を混練した導電性シリコンゴムで形成してあり、中子５と先軸部材３と軸筒２とを真鍮で形成してあることから、軸筒２を把持した手と先端チップ４の前方のドーム部４ａまで導通させることができる。尚、先端チップ４は、ＪＩＳ−Ｋ６２５３：２００６により求めたゴム硬度２０の導電性シリコンゴムで形成してあり、半球状のドーム部４ａの厚みを０．７５ｍｍで形成してある。
【００１４】
軸筒２の内部には、真鍮で形成した円筒状の駒部材８を配設してあり、駒部材８に設けた貫通孔８ａにボールペンレフィル７のインキ収容筒７ａを挿通させて、駒部材８がインキ収容筒７ａの外周面を摺動できるようにしてある。図２に示すように本実施例では、駒部材８の全長寸法Ｌが駒部材８の外径寸法Ｄより大きく形成してあり、駒部材８の前後動が滑らかに行えるようにしてある。
【００１５】
次に、図３を用いて本実施例の静電型入力ペンを使用して、操作領域を入力ペンや指によって操作し、操作領域の操作部分の位置を静電容量方式で検出する入力装置を操作した状態について説明を行う。図３に示すように、静電型入力ペン１の軸筒２が入力装置９の操作領域９ａに対して垂直な状態で先端チップ４を当接させると、先端チップ４が変形して接触面積が１６平方ミリメートル以上となり、入力装置９を反応させることができた。このとき軸筒２内の駒部材８は先端チップ４側である前方へ移動していることから、駒部材８の重さが入力操作の妨げになることはなく、駒部材８の重さで先端チップ４のドーム部４ａを入力装置９の操作領域９ａへ圧接し易くすることができた。
【００１６】
次に、図４を用いて本実施例の静電型入力ペンを使用して、紙面に筆記した状態について説明を行う。図４に示すように紙１０に対してボールペン７のボールペンチップ７ａで筆記を行う場合、軸筒２の後端側を紙１０が置いてある下方へ向けることで、駒部材８が後方へ移動し、ボールペンチップ７ｂによる紙面１０ａへの筆記を妨げることなく、筆記を行うことができた。尚、本実施例では、口金６に雄螺子部６ｂを形成してあり、軸筒２の後方に形成した雌螺子部２ｂに螺合させて、ボールペンレフィル７のインキ収容筒７ａ内のインキ（図示せず）が無くなったときには、口金６を螺脱して、ボールペンレフィル７の交換ができるようにしてある。
【産業上の利用可能性】
【００１７】
本発明の静電型入力ペンは、筆記体として、ボールペン以外にもマーカーやシャープペンシル、あるいは感圧方式の入力装置に用いる感圧用入力チップを設けることが可能であり、様々な用途に応じたものを提供することが可能である。
【符号の説明】
【００１８】
１…静電型入力ペン、
２…軸筒、２ａ…雌螺子部、２ｂ…雌螺子部、
３…先軸部材、３ａ…開口部、３ｂ…後方薄肉部、
３ｃ…カシメ部、３ｄ…雄螺子部、
４…先端チップ、４ａ…ドーム部、４ｂ…ストレート部、
５…中子、５ａ…前方小径部、５ｂ…後方大径部、５ｃ…凹部、
６…口金、６ａ…開口部、６ｂ…雄螺子部、
７…ボールペンレフィル、７ａ…インキ収容筒、
７ｂ…ボールペンチップ、
８…駒部材、８ａ…貫通孔、
９…入力装置、９ａ…操作領域、
１０…紙、１０ａ…紙面。
【図１】
2013225270.tif 000003
【図２】
2013225270.tif 000004
【図３】
2013225270.tif 000005
【図４】
2013225270.tif 000006